(57)【要約】  本発明は、フォーカシングされたレーザビームを用いて被加工物を加工するためのスキャナヘッドに関する。第１の方向に沿って回転可能に支承された第１の構成ユニットを、第１の方向から有利には該第１の方向に対して垂直な第２の方向にレーザビームを偏向するために有しており、第１の構成ユニットに取り付けられていて、第２の方向に沿って回転可能に支承された第２の構成ユニットを有しており、該第２の構成ユニットは、第１の軸ＡＳｃを中心にして傾動可能なスキャナミラーを有している。第１の構成ユニット内には、適応的なビーム偏向ユニット、殊に、適応的なミラーが設けられており、その際、１つ又は複数のスキャナヘッドが、第２の構成ユニット内に第１の軸に対して垂直な第２の軸ＢＳｃを中心にして回転可能又は傾動可能に設けられており、スキャナヘッド内に、ビーム拡張要素及びフォーカシング要素を備えた光学装置が設けられている。
2009520995.tif 000002
【特許請求の範囲】
【請求項１】
フォーカシングされたレーザビーム（７ｃ）を用いて被加工物を加工するためのスキャナヘッド（１．１〜１．９）であって、
第１の方向（Ｃ）に沿って回転可能に支承された第１の構成ユニット（２）を、第１の方向（Ｃ）から有利には該第１の方向（Ｃ）に対して垂直な第２の方向（Ｂ）に前記レーザビーム（７ｃ）を偏向するために有しており、
前記第１の構成ユニット（２）に取り付けられていて、前記第２の方向（Ｂ）に沿って回転可能に支承された第２の構成ユニット（３）を有しており、該第２の構成ユニット（３）は、第１の軸（ＡＳｃ）を中心にして傾動可能なスキャナミラー（５）を有しているスキャナヘッドにおいて、
第１の構成ユニット（２）内に、適応的なビーム偏向ユニット、殊に、適応的なミラー（８）が設けられており、
１つ又は複数のスキャナヘッド（５）が、第２の構成ユニット（３）内に第１の軸に対して垂直な第２の軸（ＢＳｃ）を中心にして回転可能又は傾動可能に設けられており、
スキャナヘッド（１．１〜１．９）内に、ビーム拡張要素（９，９’）及びフォーカシング要素（１０，１０’）を備えた光学装置（６）が設けられていることを特徴とするスキャナヘッド。
【請求項２】
光学装置（６）は、ビーム拡張要素として放物線状ミラー（９）又は凹レンズ（９’）を有している請求項１記載のスキャナヘッド。
【請求項３】
光学装置（６）は、フォーカシング要素として楕円状ミラー（１０）又は集光レンズ（１０’）を有している請求項１又は２記載のスキャナヘッド。
【請求項４】
光学装置（６）は、第２の構成ユニット（３）内に設けられている請求項１から３迄の何れか１記載のスキャナヘッド。
【請求項５】
１つ又は複数のスキャナミラー（５）及び光学装置（６）は、第２の別個の構成群内に設けられている請求項４記載のスキャナヘッド。
【請求項６】
１つ又は複数のスキャナミラー（５）及び光学装置（６）は、共通の構成群内に統合されており、該構成群は、第２の構成ユニット（３’）によって構成されている請求項４記載のスキャナヘッド。
【請求項７】
１つ又は複数のスキャナミラー（５）は、第２の構成ユニット（３）内に第２の方向（Ｂ）に対して離心して設けられている請求項１から６迄の何れか１記載のスキャナヘッド。
【請求項８】
レーザビーム（７ａ）の、第１の方向（ｃ）からの偏向は、第２の方向（Ｂ）において、適応的なビーム偏向ユニットによってもビーム拡張要素（９）又はフォーカシング要素（１０）によっても行われる請求項１から３迄の何れか１記載のスキャナヘッド。
【請求項９】
光学装置（６）は、第１の構成ユニット（２）内に設けられている請求項８記載のスキャナヘッド。
【請求項１０】
ビーム拡張要素（９’）は、透過要素であり、フォーカシング要素（１０）は、反射要素であり、又は、前記ビーム拡張要素（９’）は、前記反射要素であり、前記フォーカシング要素（１０）は、前記透過要素である請求項１から９迄の何れか１記載のスキャナヘッド。
【請求項１１】
スキャナヘッドは、レーザビームの、スキャナミラー（５）への入射角（ｙ）が、第１の軸（ＡＳｃ）を中心にして４５°の非傾動状態にシフトされるように構成されている請求項１から１０迄の何れか１記載のスキャナヘッド。
【請求項１２】
請求項１から１１迄の何れか１記載のスキャナヘッド（１．１〜１．９）を用いて被加工物を３次元加工するための加工機械において、直交基本軸（Ｘ，Ｙ，Ｚ）に沿ってスキャナヘッド（１．１〜１．９）をシフトするためのユニットと、第１及び第２の方向（Ｂ，Ｃ）に沿って前記スキャナヘッド（１．１〜１．９）を回転可能に支承するためのアングルギア(Winkelgetriebe)を有することを特徴とする加工機械。
【発明の詳細な説明】
【技術分野】
【０００１】
本発明は、フォーカシングされたレーザビームを用いて被加工物を加工するためのスキャナヘッドであって、第１の方向に沿って回転可能に支承された第１の構成ユニットを、第１の方向から有利には該第１の方向に対して垂直な第２の方向にレーザビームを偏向するために有しており、第１の構成ユニットに取り付けられていて、第２の方向に沿って回転可能に支承された第２の構成ユニットを有しており、該第２の構成ユニットは、第１の軸を中心にして傾動可能なスキャナミラーを有しているスキャナヘッド、及び当該スキャナヘッドを用いた加工機器に関する。
【０００２】
本願出願の意味でのスキャナヘッドとは、ＳＤ（ステルスダイシング）レーザ加工装置又は産業ロボット（ハンドとして）で、第１及び第２の方向を中心にして回転可能に支承することができる構成群のことであり、その際、スキャナヘッドには、一般的にコリメートされたレーザビームが供給される。
【０００３】
そのようなスキャナヘッドは、EP l 228 835に記載されている。レーザビームは、そこでは、第２の方向を中心にしてスキャナミラーを回転することによって、乃至、スキャナミラーを傾動することによって、湾曲した（球殻状）２次元の作業領域を形成するために、種々のレンズを用いて焦点にフォーカシング（合焦）される。レンズを動かすことによって、焦点位置を空間内で変えることができ、その結果、作業領域が作業空間に拡張される。
【０００４】
DE 100 27 148 A1からは、ビーム路内に調整可能な可動スキャナミラーが設けられている被加工物の加工用の装置が公知である。可動スキャナミラーとは、そこでは、可動の、例えば、カルダン懸架を備えたスキャナミラーのことである。ミラーは、相互に垂直方向の２つの軸を中心にしてミラーを傾けることによって位置調整することができる。
【０００５】
そこに記載されたスキャナヘッド、及び、それ以外の通常のスキャナ装置の欠点は、フォーカシングされたレーザビームの入射方向が、スキャナの作業領域に対してほぼ垂直方向に配向されている点にある。それにより、スキャナは、主として平面の加工用に適しており、従って、空間での加工のためには、たいてい、被加工物を付加的に軸運動させる必要がある。
【０００６】
それに対して、本発明の課題は、冒頭に記載した形式のスキャナヘッドを改良して、焦点位置を空間内でほぼ自由に配向することができ、従って、作業空間の焦点位置に、できる限り簡単且つ迅速に達することができるようにすることにある。
【０００７】
この課題は、本発明によると、第１の構成ユニット内に、適応的なビーム偏向ユニット、殊に、適応的なミラーが設けられており、１つ又は複数のスキャナヘッドが、第２の構成ユニット内に第１の軸に対して垂直な第２の軸を中心にして回転可能又は傾動可能に設けられており、スキャナヘッド内に、ビーム拡張要素及びフォーカシング要素を備えた光学装置が設けられていることにより解決される。
【０００８】
適合的なビーム偏向ユニットによって、大きな角度（ほぼ９０°）でのビーム偏向が、ビーム方向でのレーザビームの焦点の変更と組み合わされる。適合的なビーム偏向ユニットとして使われる適合ミラーは、出願人のEP l 424 584 A1から公知であり、当該内容が本願出願で参照されている。そこに記載されている適合ミラーは、非球面状であり、非球面形状によって、偏向の際に結像誤差が低減されるので、大きな角度（約９０°）でのビーム偏向のために利用される。択一的に、但し、有利ではないが、EP l 424 584 A1に従来技術として記載されている、球面状の偏向ミラーと、付加的な偏向ミラーとの組合せを、適合的なビーム偏向ユニットとして使用してもよい。
【０００９】
適合的なビーム偏向ユニットによって、上述のように、ビーム方向で、レーザビームの焦点位置を変えることができる。これにより、先ず（焦点調整せずに）球殻の一部分を形成する、スキャナの作業領域に、ビーム方向での適切な空間的な拡がりを形成することができ、即ち、作業領域から作業空間が形成される。更に、ビーム方向内で焦点位置を調整することによって、スキャナミラーの（ほぼ）球面状の作業領域を、平坦な作業領域に変形することができる。このことは、スキャナ領域内では通常のことである（F/θ乃至プレインフィールド対物レンズ（Planfeldobjektiv）参照）。適合光学系を用いると、EP l 228 835に記述された装置では必要であるような、ビーム方向での焦点調整用のシフト軸を必要としない。その他に、本発明のスキャナヘッドでは、スキャナヘッドの配向用の第２の構成ユニットの回転運動を、スキャナミラーの回転運動から切り離すことができる。と言うのは、これらの回転運動は、技術的に統合するのが難しいからである。
【００１０】
第１の軸を中心にして傾動可能且つ第２の軸を中心にして回動可能なスキャナミラーを使用する他に、各々唯一の軸を中心にして傾動可能な、別個の２つのスキャナミラーをスキャナヘッド内に使用してもよい。EP l 228 835に対して、別の回動乃至傾動軸を設けることによって、作業領域用の配向軸と、高速のスキャナ軸を分離することができる。２つの軸に沿って傾動するためのスキャナミラーの懸架は、例えば、出願人のDE 102 52 443 A1又はDE 202 12 155 U1に記載されているようにして行うとよい。
【００１１】
レーザビームの通常の入力データで、リモートウェルディングを可能にする、満足しうる光学特性を得るために、フォーカシング要素、殊に、楕円ミラー又は集光レンズを備えたレーザビームのフォーカシングの他に、レーザビームを拡げる光学装置が設けられている。この課題は、有利には、放物線状ミラー又は拡散レンズとして構成されたビーム拡張要素によって達成される。用途に応じて、光学装置を完全に反射性の要素又は完全に透過性の要素から構成すると有利である。前者の場合、光学装置は、有利には、放物線状ミラー及び楕円状ミラーを有しており、後者の場合、有利には、拡散レンズ及び集光レンズを有している。反射要素と透過性要素とを組み合わせて使用する光学装置も、殊に、熱効果によって生じる焦点位置のずれを補償するために、有利である。ビーム拡張及びフォーカシングの機能は、各々個別光学要素によって、それら各々の機能を最適化する、複数の光学要素の組合せとして構成するとよい。これらの実施例は全て、有利には、ＹＡＧレーザ又はＣＯ２レーザで駆動される加工機器と組み合わせて使用するとよい。
【００１２】
フォーカシング光学要素によって、レーザビームは、焦点上にフォーカシングされる。レーザビームは、レーザビームの周囲に、上述のように、適合的なビーム偏向ユニットを用いて、作業空間を形成するために、単数乃至複数のスキャナミラーを用いて作業領域の方に偏向される。直交座標型ロボットの直交座標基本軸（Ｘ，Ｙ，Ｚ）に沿ってスキャナヘッドを動かす場合、スキャナの（限定された）作業空間が、基本機器の作業空間に拡張され、しかも、自由に空間内で配向可能である。殊に、例えば、スキャナヘッドを直交座標型ロボットと組み合わせる、乃至、直交座標型ロボットと共に動かすと、自動車のボディを５つの側から加工することができる。
【００１３】
１実施例では、光学装置は、第２の構成ユニット内に設けられている。この際、単数乃至複数のスキャナミラー及び光学装置は、第２の構成ユニットの別個の２つの構成群内に設けることができ、その際、単数乃至複数のスキャナミラーは、例えば、別個のスキャナユニット内に設けられており、このスキャナユニットは、光学装置を有する構成群にフランジ結合されている。
【００１４】
択一的に、単数乃至複数のスキャナミラー及び光学装置を、第２の構成ユニットによって形成された共通の構成群内に統合することができる。こうすることによって、特に小型の構成形式が可能となる。
【００１５】
別の実施例では、単数乃至複数のスキャナミラーが、第２の構成ユニット内に、第２の方向に対して離心的に設けられている。この際、レーザビームは、例えば、光学装置の反射光学要素を用いて、第２の方向からスキャナミラーの方に偏向することができ、それは、スキャナミラーを第２の構成ユニット内で離心的に配設することによって可能となる。第２の方向を中心にして第２の構成ユニットを回転させる際に、スキャナミラーは、円弧を描き、それにより、スキャナの作業領域の任意の空間配向を達成することができる。
【００１６】
別の実施例では、第１の方向から第２の方向へのレーザビームの偏向は、適応的なビーム偏向ユニットによっても、ビーム拡張要素によっても、又は、フォーカシング要素によっても行われる。フォーカシング乃至ビーム拡張要素は、この場合、反射的に構成されていて、第１の構成ユニット内に設けられている。有利には、光学装置の別の要素も、第１の構成ユニット内に設けられており、その際、第１の構成ユニットは、有利に透過性に構成されている。この装置構成により、スキャナヘッドの小型の構成形式が達成され、それによると、殊に第２の構成ユニットの長さを短縮することができる。それにより、回動半径を小さくすることができ、その結果、位置精度が向上する。更に、スキャナミラーは、この場合、小さな寸法にすることができる。
【００１７】
有利な実施例では、スキャナヘッドは、第１の軸を中心にして傾かない状態でスキャナミラー上へのレーザビームの入射角が、偏向に関する特定の溶接過程での要件を満たすために、４５°からシフトされているように構成されている。しかし、この構成は、スキャナミラーの制御の際に高いコストを生じる（変換）。
【００１８】
本発明は、更に、直交基本軸に沿ってスキャナヘッドをシフトするためのユニットと、第１及び第２の方向に沿ってスキャナヘッドを回転可能に支承するためのアングルギア(Winkelgetriebe)を有する、上述のようなスキャナヘッドを用いて被加工物を３次元加工するための加工機械で実施される。殊に、出願人の３Ｄ加工機器に３つの直交基本軸（Ｘ，Ｙ，Ｚ）を用いる際に、TLC（薄膜クロマトグラフィ）タイプのＢ／Ｃ軸運動の方式が、スキャナヘッドの位置決めのために利用することができる。
【００１９】
以下、本発明について、図示の実施例を用いて詳細に説明する。  図面：
図１は、反射光学装置にフランジ結合されたスキャナユニットを有するスキャナヘッドの第１の実施例の長手方向略図を示し、
図２は、小型の構造形式でのスキャナヘッドの第２の実施例の同様の図、
図３は、スキャナミラーで非直角ビーム偏向するスキャナヘッドの第３の実施例の各光学構成要素を略示し、
図４は、透過性光学装置を備えたスキャナヘッドの第４の実施例の長手方向略図を示し、
図５は、適応的なミラーが凹レンズと集光レンズとの間のビーム路内に設けられている透過性光学装置を備えたスキャナヘッドの第５の実施例を同様に示した図、
図６は、適応化ミラーの後ろ側のビーム路内に放物線状ミラーと集光レンズを備えたスキャナヘッドの第６の実施例を同様に示した図、
図7は、放物線状ミラーと集光レンズとの間のビーム路内に適応化ミラーを備えたスキャナヘッドの第７の実施例を同様に示した図、
図8は、凹レンズと楕円状ミラーとの間のビーム路内に適応化ミラーを備えたスキャナヘッドの第８の実施例を同様に示した図、
図9は、適応化ミラーの前側のビーム路内に凹レンズと楕円状ミラーを備えたスキャナヘッドの第９の実施例を同様に示した図である。
【００２０】
図１は、スキャナヘッド１．１を示し、該スキャナヘッド１．１は、第１の、垂直方向Ｃに沿って回転可能に支承されている第１の構成ユニット１、並びに、第１の構成ユニット２に取り付けられていて、場合によっては、第２の、水平方向Ｂを中心にして支承されている第２の構成ユニット３とから構成されている。第２の構成ユニット３は、光学装置６のケーシングにフランジ結合されているスキャナミラー５を備えたスキャナユニット４を有している。スキャナヘッド１．１は、部分的にしか図１に示されていない加工機器に取り付けられており、当該加工機器の３つの直交基本軸Ｘ，Ｙ，Ｚが図１に示されている。
【００２１】
ほぼコリメートされたレーザビーム７ａは、スキャナヘッド１．１内の第１の構成ユニット２に入射し、第１の構成ユニット２のところで、適応的な偏向ミラー８に入射し、この偏向ミラー８は、レーザビーム７ａを垂直方向Ｃから水平方向Ｂに偏向する。それと同時に、偏向ミラー８は、レーザビームの焦点位置をビーム方向に変えるように作用し、即ち、コリメートされたレーザビーム７ａから、適応的なミラー８の調整に応じて、コリメートされた、集束された又は拡散されたレーザビーム７ｂが形成される。このために、偏向ミラー８は、例えば、図示していないピエゾ素子を介して、又は、ミラーの裏側に冷却水を用いて加圧することによって変形可能である（冒頭に記載したEP l 424 584 AIに詳細に説明されている）。適応的なミラー８を用いて、典型的に、最小の約±４０００ｍｍの焦点距離を達成することができる。水平方向に配向されたレーザビーム７ｂは、その後、第２の構成ユニット３内に入射し、当該第２の構成ユニット３で、先ず、ビームを拡張する放物線状ミラー９に入射し、当該放物線状ミラー９は、ビーム路内で後続する楕円状ミラー１０と共に光学装置６を構成する。この際、楕円状ミラー１０の焦点距離（有効焦点距離約８００ｍｍ）は、当該楕円状ミラー１０がフォーカシング作用を有していて、集束されたレーザビーム７ｃを形成するように選定されている。後続して、フォーカシングされたレーザビーム７ｃは、スキャナミラー５に入射し、当該スキャナミラー５で、レーザビーム７ｃは、スキャナヘッド１．１から出射される前にもう一度偏向され、焦点１１で、図示していない被加工物上に照射される。スキャナミラー５は、第１の軸ＡＳｃを中心に傾けることができ、並びに、第１の軸に対して垂直な第２の軸ＢＳｃを中心にして回動可能である。択一的に、スキャナヘッド１．１内に、各々相互に垂直方向の各軸を中心にして傾けることができる２つのスキャナミラーを設けてもよい。２つの軸ＡＳｃ／ＢＳｃを中心にしてスキャナミラー５が傾ける、乃至回動することによって、焦点１１内で、ほぼ湾曲した作業領域１２が形成される。適応的な偏向ミラー８を用いて焦点位置を適切に変えることによって、先ず、球殻の一部分を形成する、球状の作業領域１２に、ビーム方向内の適切な、空間的な拡がりを形成することができ、この拡がりは、Ｚ軸に沿ってΔＺ＝約±１５０ｍｍ〜約２００ｍｍの高さを有している。焦点位置をＺ方向にずらすことによって、スキャナミラー５のほぼ球状の作業領域から、約３５０ｍｍの平坦な作業領域１３を３５０ｍｍ（Ｘ／Ｙ）上に形成することもでき、このことは、スキャナにとって通常である（プレインフィールド対物レンズ（Planfeldobjektiv）参照）。
【００２２】
作業領域１３の簡単化された空間的な配向のために、スキャナミラー５は、方向Ｂを中心にして離心的に設けられており、その結果、このスキャナミラー５は、Ｂ方向を中心にした約６００〜７００ｍｍの小さな回動半径で回動することができる。この付加的なフレキシビリティは、レーザビーム７ｂが、光学装置６を用いて、Ｂ方向に対して平行にずらされていることによって達成され、その結果、スキャナミラー５及び第２の構成ユニット３は、空間的に離れた軸Ｂ乃至ＢＳｃを中心にして回動可能である。
【００２３】
放物線状ミラー９上の入射角α及び楕円状ミラー１０上の入射角βは、幾何的な要件に依存しているので、はっきりと詳しく特定できない。スキャナミラー５上へのレーザビーム７ｂの入射角γだけがほぼ４５°に調整され、それは、スキャナミラー５を簡単に制御して行われる。
【００２４】
図２は、スキャナヘッド１．２の構造形式を示し、このスキャナヘッド１．２が、図１のスキャナヘッド１．１に対して異なる点は、放物線ミラー９及び楕円状ミラー１０が、スキャナミラー５と一緒に共通の構造群内に設けられている点にあり、この構造群は、第２の構成ユニット３によって形成されている。こうすることにより、図１に比較して一層小型の構造を達成することができる。
【００２５】
図３には、図を簡単にするために、スキャナヘッド１．３の別の構造形式の光学コンポーネントしか示しておらず、このスキャナヘッドでは、適合的な偏向ミラー８にフォーカシングされるレーザビーム７ｂの、放物線状ミラー９、楕円状ミラー１０乃至スキャナミラー５への入射角α、β、γは、４５°とは異なるように選定されている。殊に、この構造形式は、従って、図１及び図２に示した構造形式と、スキャナミラー５で９０°の偏向は行われない点で異なっている。これにより、所定の溶接処理の際に、レーザビーム７ｂを有利に偏光させることができる。殊に、３つの入射角α、β、γは、焦点１１でレーザビーム７ｂの所望の偏光特性が得られるように選定することができる。
【００２６】
図１〜図３に示されたスキャナヘッド１．１〜１．３の構造形式は、反射光学系としての光学装置６を示す。用途例に応じて、この反射光学系を透過性の光学系によって代替することができる（これは、図４に示されたスキャナヘッド１．４と同様である）。そこに示された、凹レンズ光学装置９’及びビーム路内に後続する集光レンズ１０’は、第２の構造ユニット３内に設けられている。この構造形式では、第２の軸ＢＳｃ（この軸を中心にして、スキャナミラー５が回転可能である）がは、第２の方向Ｂと一致し、この第２の方向Ｂと一致する（この方向を中心にして第２の構造ユニット３’’が回転可能に支承されている。それ以外では、図４のスキャナヘッド１．４〜４の構造は、図１に図示されたスキャナヘッド１．１の構造に相応している。
【００２７】
図５には、図４と同様に、透過性の光学装置６を有するスキャナヘッド１．５が示されている。図４とは異なり、ここでは、凹レンズ９’は、ビーム路内で、第１の構造ユニット２内の適合化ミラー８の前に設けられており、これに反して、ビーム路内に後続する集光レンズ１０’は、第２の構造ユニット３内に設けられている。これにより、適合的なミラー８が、拡散ビーム路内に設けられており、それにより、場合によっては、スキャナヘッド１．５の小型の構造を達成することができる。
【００２８】
図１〜図５に示されたスキャナヘッド１．１〜１．５の構造形式では、レーザビーム７ａの、第１の方向Ｃから第２の方向Ｂへの９０°偏向が、専ら適合化ミラー８によって行われる。図６〜図９に示されているような択一的な構造形式では、ビーム偏向は、適合化ミラー８を用いた偏向と、光学装置６の反射光学要素を用いた偏向との組合せによって達成することができる。
【００２９】
図６は、第１の方向Ｃから第２の方向Ｂへの偏向のために、適合的なミラー８と放物線状ミラー９を使用するスキャナミラー１．６の構造形式を示す。第２の方向Ｂに沿って経過するレーザビーム７ｂは、集光レンズ１０’によってフォーカシングされ、集束ビームとしてスキャナミラー５に入射する。放物線状ミラー９及び集光レンズ１０’は、第１の構造ユニット２内に設けられている。これにより、第２の構造ユニット３は、水平方向に、図１〜図５の構造形式とは異なり、短く構成することができ、それにより、スキャナヘッド１．６の回動の半径は短くなり、スキャナミラー５を小さな寸法にすることができる。更に、反射要素（放物線状ミラー９）を透過性の要素（集光レンズ１０’）と組み合わせることによって、熱作用による焦点位置のずれを少なくとも部分的に補償することができる。
【００３０】
図７に示されたスキャナヘッド１．７の構造形式が、図６の構造形式と異なる点は、適合化ミラー８の構成と、放物線状ミラー９の構成とが交換されている点にしかない。こうすることによって、適合化ミラー８は、ビーム路内で、放物線状ミラー９と集光レンズ１０’との間に設けられている。
【００３１】
図８に示されたスキャナヘッド１．８の構造形式では、ビーム路内の第１の構造ユニット２内に、第１の方向に沿って先ず、レーザビーム７ａを有する凹レンズ９’が設けられている。拡げられたレーザビーム７ａは、適合化ミラー８及び楕円状ミラー１０で偏向されてフォーカシングされ、その結果、第２の方向Ｂに沿って経過する集束レーザビーム７ｃとして第２の構成ユニット３内に入射する。
【００３２】
スキャナヘッド１．９の別の構造形式が、図８に示した構造形式と異なる点は、単に、適合化ミラー８の位置と楕円状ミラー１０の位置とが第１の構成ユニット２内で交換されている点にあり、その結果、適合化ミラー８は、ビーム路内で凹レンズ９"及び楕円状レンズ１０の後ろ側に位置しており、その結果、拡げられた、集束レーザビームが、このミラー内に入射する。
【００３３】
適合化ミラー８及び楕円状レンズ１０乃至放物線状ミラー９の相互に相対的且つ図６〜図９の入射レーザビーム７ａに対する位置は、各々、両要素の組合せによって、９０°偏向が達成されるように選定されている。図１〜図９に示された構造形式は全て、有利には、適切な加工レーザ、殊に、ＣＯ２レーザ又はＹＡＧレーザを用いて駆動することができる。
【００３４】
スキャナヘッド１．１〜１．９の図示の構造形式では、ビーム方向内での焦点位置は、適合化ミラー８によって変えることができる。この焦点位置は、焦点１１を中心にして変えられ、この焦点は、スキャナヘッド１．１〜１．９の定格焦点距離内に位置しており、この定格焦点距離は、光学装置６のフォーカシングレンズ要素１０"乃至ミラー要素１０によって決められる。光学装置６を用いた定格焦点距離の決定により、適合化ミラー８の圧力印加によって、単に、小さな屈折率（大きな（正又は負の）焦点距離に相応して）を達成すれば充分であるようになる。適合化ミラー８によって、更に、例えば、レンズ又はミラーのシフトによって達成されるよりも一層早く、Ｚ方向に焦点位置を変えることができる。と言うのは、これは、その質量に基づいて、通常、高速でシフトすることができるからである。
【００３５】
図１〜図９に示されたスキャナヘッド１．１〜１．９の構造形式は、各々特に有利に、被加工物の３次元可能用の加工機器、殊に、ＴＬＣ機器又は産業ロボットに、当該加工機器が、スキャナヘッド１．１〜１．９を直交基本軸に沿ってシフトするためのユニットと、スキャナヘッド１．１〜１．９の、第１及び第２の方向Ｂ，Ｃに沿った回転可能な支承のためのアングル歯車、並びに、レーザビームの形成用のビーム源を有している場合に、機能ユニットとして取り付けることができる。そのような加工機器を用いて、スキャナヘッド１．１〜１．９の構造形式を使用して、例えば、自動車のボディを５つの側から加工することができる。
【図面の簡単な説明】
【００３６】
【図１】反射光学装置にフランジ結合されたスキャナユニットを有するスキャナヘッドの第１の実施例の長手方向略図
【図２】小型の構造形式でのスキャナヘッドの第２の実施例の同様の図
【図３】スキャナミラーで非直角ビーム偏向するスキャナヘッドの第３の実施例の各光学構成要素の略図
【図４】透過性光学装置を備えたスキャナヘッドの第４の実施例の長手方向略図
【図５】適応的なミラーが凹レンズと集光レンズとの間のビーム路内に設けられている透過性光学装置を備えたスキャナヘッドの第５の実施例を同様に示した図
【図６】適応化ミラーの後ろ側のビーム路内に放物線状ミラーと集光レンズを備えたスキャナヘッドの第６の実施例を同様に示した図
【図７】放物線状ミラーと集光レンズとの間のビーム路内に適応化ミラーを備えたスキャナヘッドの第７の実施例を同様に示した図
【図８】凹レンズと楕円状ミラーとの間のビーム路内に適応化ミラーを備えたスキャナヘッドの第８の実施例を同様に示した図
【図９】適応化ミラーの前側のビーム路内に凹レンズと楕円状ミラーを備えたスキャナヘッドの第９の実施例を同様に示した図
【図１】
2009520995.tif 000003
【図２】
2009520995.tif 000004
【図３】
2009520995.tif 000005
【図４】
2009520995.tif 000006
【図５】
2009520995.tif 000007
【図６】
2009520995.tif 000008
【図７】
2009520995.tif 000009
【図８】
2009520995.tif 000010
【図９】
2009520995.tif 000011
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
フォーカシングされたレーザビーム（７ｃ）を用いて被加工物を加工するためのスキャナヘッド（１．１〜１．９）であって、
第１の方向（Ｃ）に沿って回転可能に支承された第１の構成ユニット（２）を、第１の方向（Ｃ）から有利には該第１の方向（Ｃ）に対して垂直な第２の方向（Ｂ）に前記レーザビーム（７ａ）を偏向するために有しており、
前記第１の構成ユニット（２）に取り付けられていて、前記第２の方向（Ｂ）に沿って回転可能に支承された第２の構成ユニット（３）を有しており、該第２の構成ユニット（３）は、第１の軸（ＡＳｃ）を中心にして傾動可能なスキャナミラー（５）を有しているスキャナヘッドにおいて、
第１の構成ユニット（２）内に、適応的なビーム偏向ユニット、殊に、適応的なミラー（８）が設けられており、
１つのスキャナミラー又は別のスキャナミラー（５）が、第２の構成ユニット（３）内に第１の軸に対して垂直な第２の軸（ＢＳｃ）を中心にして回転可能又は傾動可能に設けられており、
スキャナヘッド（１．１〜１．９）内に、ビーム拡張要素（９，９’）及びフォーカシング要素（１０，１０’）を備えた光学装置（６）が設けられていることを特徴とするスキャナヘッド。
【請求項２】
光学装置（６）は、ビーム拡張要素として放物線状ミラー（９）又は凹レンズ（９’）を有している請求項１記載のスキャナヘッド。
【請求項３】
光学装置（６）は、フォーカシング要素として楕円状ミラー（１０）又は集光レンズ（１０’）を有している請求項１又は２記載のスキャナヘッド。
【請求項４】
光学装置（６）は、第２の構成ユニット（３）内に設けられている請求項１から３迄の何れか１記載のスキャナヘッド。
【請求項５】
１つ又は複数のスキャナミラー（５）及び光学装置（６）は、第２の別個の構成群内に設けられている請求項４記載のスキャナヘッド。
【請求項６】
１つ又は複数のスキャナミラー（５）及び光学装置（６）は、共通の構成群内に統合されており、該構成群は、第２の構成ユニット（３’）によって構成されている請求項４記載のスキャナヘッド。
【請求項７】
１つ又は複数のスキャナミラー（５）は、第２の構成ユニット（３）内に第２の方向（Ｂ）に対して離心して設けられている請求項１から６迄の何れか１記載のスキャナヘッド。
【請求項８】
レーザビーム（７ａ）の、第１の方向（ｃ）からの偏向は、第２の方向（Ｂ）において、適応的なビーム偏向ユニットによってもビーム拡張要素（９）又はフォーカシング要素（１０）によっても行われる請求項１から３迄の何れか１記載のスキャナヘッド。
【請求項９】
光学装置（６）は、第１の構成ユニット（２）内に設けられている請求項８記載のスキャナヘッド。
【請求項１０】
ビーム拡張要素（９’）は、透過要素であり、フォーカシング要素（１０）は、反射要素であり、又は、前記ビーム拡張要素（９’）は、前記反射要素であり、前記フォーカシング要素（１０）は、前記透過要素である請求項１から９迄の何れか１記載のスキャナヘッド。
【請求項１１】
スキャナヘッドは、レーザビームの、スキャナミラー（５）への入射角（γ）が、第１の軸（ＡＳｃ）を中心にして４５°の非傾動状態にシフトされるように構成されている請求項１から１０迄の何れか１記載のスキャナヘッド。
【請求項１２】
請求項１から１１迄の何れか１記載のスキャナヘッド（１．１〜１．９）を用いて被加工物を３次元加工するための加工機械において、直交基本軸（Ｘ，Ｙ，Ｚ）に沿ってスキャナヘッド（１．１〜１．９）をシフトするためのユニットと、第１及び第２の方向（Ｂ，Ｃ）に沿って前記スキャナヘッド（１．１〜１．９）を回転可能に支承するためのアングルギア(Winkelgetriebe)を有することを特徴とする加工機械。
【手続補正２】
【補正対象書類名】明細書
【補正対象項目名】０００７
【補正方法】変更
【補正の内容】
【０００７】
この課題は、本発明によると、第１の構成ユニット内に、適応的なビーム偏向ユニット、殊に、適応的なミラーが設けられており、１つのスキャナミラー又は別のスキャナミラーが、第２の構成ユニット内に第１の軸に対して垂直な第２の軸を中心にして回転可能又は傾動可能に設けられており、スキャナヘッド内に、ビーム拡張要素及びフォーカシング要素を備えた光学装置が設けられていることにより解決される。
【国際調査報告】
2009520995.tif 000012
2009520995.tif 000013
2009520995.tif 000014
2009520995.tif 000015